(57)【要約】【課題】固結びしなくても靴紐が緩むのを防止することができ、経済的でかつ靴紐を結ぶのを容易にする靴紐留め具を提供する。【解決手段】留め材１０と保持部材２０とから成る。留め材１０は１本の針金から成る。留め材１０は、両端部１１，１２と中間部１３と折り返し部１４とを有している。両端部１１，１２は靴紐孔１に挿入可能に並列に配置され、両端先端に係合部を有する。中間部１３は間に靴紐を挟んで保持可能に少なくとも二重に巻かれている。保持部材２０は靴紐孔１より大きい端面２１を有し、端面２１に靴紐２を通す貫通孔２２を有する。貫通孔２２の内壁に留め材１０の各係合部と着脱可能に係合する係合凹部を有する。【選択図】図１
2004236993.tif 000002
【特許請求の範囲】
【請求項１】
紐靴の靴紐孔に取り付けられる靴紐留め具であって、
留め材と保持部材とを有し、
前記留め材は１本の線材から成り、両端部が靴紐孔に挿入可能に並列に配置され、両端先端に係合部を有し、中間部が間に靴紐を挟んで保持可能に少なくとも二重に巻かれており、
前記保持部材は靴紐孔より大きい端面を有し、前記端面に靴紐を通す貫通孔を有し、前記貫通孔の内壁に前記留め材の各係合部と着脱可能に係合する係合凹部を有することを、
特徴とする靴紐留め具。
【請求項２】
前記中間部と前記両端部との間に前記中間部を前記両端部の側に折り返す折り返し部を有し、前記中間部の両端のうち前記両端部に近い側が連続する前記両端部の一方の端部側に他方の端部側より前記中間部の中心線がずれていることを、特徴とする請求項１記載の靴紐留め具。
【発明の詳細な説明】
【０００１】
【発明の属する技術分野】
本発明は、靴紐が緩むのを防止するための靴紐留め具に関する。
【０００２】
【従来の技術】
バスケットやバレーボール、ハンドボール、卓球、野球、陸上競技などのスポーツを行う際には、一般に紐靴が用いられている。紐靴では、スポーツなどの激しい動きにより靴紐が緩んで解けることがしばしばある。靴紐が解けると、転倒の原因となり、危険である。そこで、従来、靴紐が解けるのを確実に防止したい場合には、靴紐を固結びしていた。
【０００３】
【発明が解決しようとする課題】
しかしながら、靴紐を固結びした場合、再び解くことは難しいため、靴を脱ぐとき、靴紐を切る必要があった。このため、靴を脱ぐたびに靴紐を捨てる必要があり、経済的でないという課題があった。また、靴を履くたびに靴紐孔に靴紐を通して結ぶ必要があり、手数がかかるという課題があった。
【０００４】
本発明は、このような従来の課題に着目してなされたもので、固結びしなくても靴紐が緩むのを防止することができ、経済的でかつ靴紐を結ぶのを容易にする靴紐留め具を提供することを目的とする。
【０００５】
【課題を解決するための手段】
上記目的を達成するために、本発明に係る靴紐留め具は、紐靴の靴紐孔に取り付けられる靴紐留め具であって、留め材と保持部材とを有し、前記留め材は１本の線材から成り、両端部が靴紐孔に挿入可能に並列に配置され、両端先端に係合部を有し、中間部が間に靴紐を挟んで保持可能に少なくとも二重に巻かれており、前記保持部材は靴紐孔より大きい端面を有し、前記端面に靴紐を通す貫通孔を有し、前記貫通孔の内壁に前記留め材の各係合部と着脱可能に係合する係合凹部を有することを、特徴とする。
【０００６】
本発明に係る靴紐留め具は、靴紐を結ぶ位置の靴紐孔を挟んで靴の内側に保持部材を配置し、外側から留め材の両端部を靴紐孔に挿入し、各係合部を係合凹部に係合させて用いられる。靴紐を保持部材の貫通孔および靴紐孔に通し、留め材の中間部の少なくとも二重に巻かれた間に挟み込んで保持させる。靴紐は、留め材の両端部の間から中間部に挟み込むことができる。靴紐を留め材の中間部で保持することにより、靴紐が靴紐孔の方に戻るのを防ぐことができ、靴紐を結ぶのを容易にすることができる。また、靴紐が靴紐孔の方に戻るのを防いでいるため、靴紐を固結びしなくても靴紐が緩むのを防止することができる。靴紐は、固結びをしなくても緩みにくいため、蝶結びなどの解きやすい結び方で結ぶことにより繰り返し使用することができ、経済的である。
【０００７】
なお、留め材の中間部は二重に巻かれていれば通常、靴紐を留めるのに十分であるが、三重以上に巻かれていてもよい。留め材は、針金を曲げて成ることが好ましいが、合成樹脂から成ってもよい。係合部は、留め材の両端先端を折り曲げて成ることが好ましい。係合凹部は、保持部材の内壁を外壁側に貫通していてもよい。留め材、保持部材またはその両方は、紐靴に縫付その他の方法で一体的に取り付けられていてもよい。本発明に係る靴紐留め具は、１足の靴の左足側および右足側の両方に設けられていることが好ましく、また、各靴の左側靴紐孔および右側靴紐孔の両方に設けられていることが好ましい。
【０００８】
本発明に係る靴紐留め具は、前記中間部と前記両端部との間に前記中間部を前記両端部の側に折り返す折り返し部を有し、前記中間部の両端のうち前記両端部に近い側が連続する前記両端部の一方の端部側に他方の端部側より前記中間部の中心線がずれていることが好ましい。
【０００９】
この構成では、中間部の中心線がずれている側の一方の端部を上側にし、折り返された中間部に対し両端部を靴側に配置して留め材を靴紐孔に挿入し、保持部材と係合させて用いられる。靴紐を結ぶ際に、保持部材の貫通孔および靴紐孔に通した靴紐を、留め材の中間部の少なくとも二重に巻かれた間に挟み込むとき、靴紐を靴の内側斜め上方に引き上げるようにして中間部に挟みこむ。靴紐を靴の内側斜め上方に引き上げることにより、靴紐で紐靴を締め付けやすくなる。このとき、中間部は中心線が両端部の一方の端部側にずれているため、留め材の両端部の間から靴の内側斜め上方に引き上げた靴紐を中間部の間で保持しやすくなっている。靴の内側斜め上方に引き上げた靴紐は、留め材の中間部で保持されて靴紐孔の方に戻るのを防がれ、結ぶのが容易である。
【００１０】
なお、保持部材の係合凹部は貫通孔の対向する内壁に設けられ、留め材の両端部は弾力を有して外側に付勢されて係合部が係合凹部と係合していることが好ましい。この場合、簡単な構成で留め材の各係合部と保持部材の係合凹部とを着脱可能に係合することができる。
【００１１】
【発明の実施の形態】
以下、図面に基づき、本発明の実施の形態について説明する。
図１乃至図５は、本発明の実施の形態を示している。
図１に示すように、靴紐留め具は、留め材１０と保持部材２０とから成っている。
【００１２】
図２に示すように、留め材１０は、１本の針金から成り、復元可能な弾力性を有している。留め材１０は、紐靴の靴紐孔１の左側と右側とで対称の形状を有している。図１および図２に示す留め材１０は、紐靴の向かって右側の靴紐孔１用のものである。
【００１３】
留め材１０は、両端部１１，１２と中間部１３と折り返し部１４とを有している。両端部１１，１２は、それぞれ直線状に伸びて靴紐孔１に挿入可能に並列に配置され、両端先端にかけて次第に開いている。留め材１０は、両端先端に係合部１５を有している。係合部１５は、両端先端を外側にほぼ直角に折り曲げて成っている。
【００１４】
中間部１３は、両端部１１，１２の間に設けられ、間に靴紐２を挟んで保持可能に二重に丸いバネ状に巻かれている。二重に巻かれた中間部１３は、常態で間に隙間がなく互いに接触しており、間を押し開くことにより靴紐２を保持可能となっている。
【００１５】
折り返し部１４は、中間部１３と両端部１１，１２との間に設けられている。折り返し部１４は、中間部１３を両端部１１，１２の側に１８０度折り返すよう湾曲している。これにより、中間部１３に沿った平面は、両端部１１，１２に沿った平面と間隔をあけてほぼ平行になっている。折り返された中間部１３の中心線は、端部１２の側より端部１１の側にずれており、ほぼ端部１１の上を通っている。端部１１は、両端部１１，１２のうち中間部１３の一端１３ａが連続する側であり、一端１３ａは中間部１３の両端１３ａ，１３ｂのうち両端部１１，１２に近い側である。このため、図３に示すように、中間部１３の中心線と端部１２の一端とを結ぶ線と端部１２とのなす角が約４５度をなしている。
【００１６】
図４および図５に示すように、保持部材２０は、かまぼこ型の形状を有し、靴紐孔１より大きい２つの端面２１を有している。保持部材２０は、２つの端面２１に靴紐２を通す断面長方形の貫通孔２２を有している。保持部材２０は、貫通孔２２の対向する側部内壁に係合凹部２３を有している。係合凹部２３は、側部内壁を外壁側に貫通している。留め材１０の両端部１１，１２は、弾力を有して外側に付勢され、係合部１５が係合凹部２３と着脱可能に係合している。
【００１７】
次に、作用について説明する。
靴紐留め具は、左右両足の紐靴２の、最上段の靴紐２を結ぶ位置にある２つの靴紐孔１に取り付けられる。靴紐留め具が取り付けられる紐靴は、例えば、バスケットボールシューズやバレーボールシューズ、ハンドボールシューズ、卓球シューズ、野球シューズ、陸上シューズである。
【００１８】
図１に示すように、靴紐留め具は、靴紐２を結ぶ位置の靴紐孔１を挟んで靴の内側に保持部材２０を配置し、外側から留め材１０の両端部１１，１２を靴紐孔１に挿入し、両側部の弾力で各係合部１５を係合凹部２３に係合させて用いられる。このとき、中間部１３の中心線がずれている側の一方の端部１１を上側にし、折り返された中間部１３に対し両端部１１，１２を靴側に配置して留め材１０を靴紐孔１に挿入し、保持部材２０と係合させる。
【００１９】
靴紐２を結ぶ際に、靴紐２を保持部材２０の貫通孔２２および靴紐孔１に通し、留め材１０の中間部１３の二重に巻かれた間に挟み込んで保持させる。靴紐２は、留め材１０の両端部１１，１２の間から中間部１３に挟み込むことができる。このとき、靴紐２を靴の内側斜め上方に引き上げるようにして中間部１３に挟みこむ。靴紐２を靴の内側斜め上方に引き上げることにより、靴紐２で紐靴を締め付けやすくなる。
【００２０】
中間部１３は中心線が両端部１１，１２の一方の端部１１側にずれているため、留め材１０の両端部１１，１２の間から靴の内側斜め上方に引き上げた靴紐２を中間部１３の間で保持しやすくなっている。靴の内側斜め上方に引き上げた靴紐２は、留め材１０の中間部１３で保持されて靴紐孔１の方に戻るのを防がれるため、子供や握力の弱い人でも結ぶのが容易である。また、靴紐２が靴紐孔１の方に戻るのを防いでいるため、靴紐２を固結びしなくても靴紐２が緩むのを防止することができる。スポーツの競技中に靴紐２が緩んだり解けたりすると、転倒などの事故のおそれがあり、競技がしばしば中断されるが、そのような事故や競技の中断を未然に防止することができる。
【００２１】
また、靴紐２をしっかりと結んで紐靴を締め付けることにより、靴擦れや捻挫を起こしにくくなる。さらに、紐靴を足にフィットさせることにより、靴への負担が少なくなり、靴が長持ちしやすくなる。靴紐２は、固結びをしなくても緩みにくいため、蝶結びなどの解きやすい結び方で結ぶことにより繰り返し使用することができ、経済的である。なお、靴紐２は、堅締め、すなわち、蝶結びにしてできた片方の輪を中心の穴にもう一度入れて締め付けることにより結ぶことが好ましい。堅締めにより、靴紐２を自然には緩みにくいが解きやすく締めることができる。
【００２２】
靴紐留め具を用いることにより、靴紐２をそのまま繰り返し使用できることから、靴を履くたびに靴紐孔１に靴紐２を通して結ぶ必要がなく、靴を履くのに手数がかからない。靴紐留め具は、紐靴が消耗したならば、留め材１０の両端部１１，１２から保持部材２０を外して、他の紐靴の靴紐孔１に取り付けて使用することができる。
【００２３】
なお、靴紐留め具の材質の一例を挙げれば、留め材１０が焼き入れした鉄、保持部材２０がプラスチックである。靴紐留め具の材質、大きさの一例を挙げれば、留め材１０は長さ２５ｍｍ、中間部１３の径が１０ｍｍ、中間部１３および両端部１１，１２の位置の厚みが５ｍｍ程度であり、保持部材２０の長さが１０ｍｍ、幅が１２ｍｍ、高さが６ｍｍ程度である。なお、靴紐留め具の材質、大きさ、形状は、実施の形態のものに限定されるものではなく、適宜、設定可能である。
【００２４】
【発明の効果】
本発明によれば、固結びしなくても靴紐が緩むのを防止することができ、経済的でかつ靴紐を結ぶのを容易にする靴紐留め具を提供することができる。
【図面の簡単な説明】
【図１】本発明の実施の形態の靴紐留め具の使用状態を示す背面図である。
【図２】図１に示す靴紐留め具の留め材の（Ａ）正面図、（Ｂ）平面図、（Ｃ）背面図である。
【図３】図１に示す靴紐留め具の留め材の中間部の傾きを示す正面図である。
【図４】図１に示す靴紐留め具の保持部材の斜視図である。
【図５】図４に示す保持部材の（Ａ）端面図、（Ｂ）側面図、（Ｃ）背面図である。
【符号の説明】
１    靴紐孔
２    靴紐
１０  留め材
１１，１２  端部
１３  中間部
１４  折り返し部
１５  係合部
２０  保持部材
２１  端面
２２  貫通孔
２３  係合凹部
【図１】
2004236993.tif 000003
【図２】
2004236993.tif 000004
【図３】
2004236993.tif 000005
【図４】
2004236993.tif 000006
【図５】
2004236993.tif 000007